(57)【要約】    【課題】        棒状化粧材の装填が確実に簡単に行える棒状化粧材繰出容器を提供する。    【解決手段】    先筒１０は先端開口孔１１と同寸法で貫通孔１３を穿設し、この貫通孔１３に沿って複数の摺動溝１２を設け、芯チャック部材３０先端の爪片３２の前端部３２ａは、前記先筒１０の摺動溝１２ｂに位置し、棒状化粧材Ａが爪片３２間に装填された後、爪片３２を摺動溝１２内に進入させ、爪片３２の外片に設けた突起３３を摺動溝当接面１２ａに当接させることで、棒状化粧材Ａを側面より確実に保持摺動する。    【選択図】    図１
2006055233.tif 000002
【特許請求の範囲】
【請求項１】
先筒と基筒を連結し、回転操作で前記先筒の先端開口孔より棒状化粧材を進退する機能を有し、前記先筒の先端開口孔よりほぼ同寸法の貫通孔が穿設され、この貫通孔に沿って複数の摺動溝が設けられ、芯チャック部材の先端に形成された複数の爪片は、前記先筒の摺動溝内に位置して、棒状化粧材を保持摺動する棒状化粧材繰出容器であって；
前記先筒の先端開口孔より棒状化粧材が挿入された時点で、前記芯チャック部材の先端に形成された爪片は、前記棒状化粧材を保持せず前記爪片の前記先筒の摺動溝内に進入する手段をもって棒状化粧材を保持可能としたことを特徴とする棒状化粧材繰出容器。
【請求項２】
前記芯チャック部材の爪片前端部は、前記先筒の摺動溝後端部に位置し、棒状化粧材の挿入後、前記爪片が先筒の摺動溝内に進入し、前記爪片の外片が摺動溝の当接面に当接することで、棒状化粧材を保持することを特徴とする請求項１記載の棒状化粧材繰出容器。
【発明の詳細な説明】
【技術分野】
【０００１】
本発明はアイブロウ、アイライナー、リップライナー等の棒状化粧材繰出容器に関する。特には、芯材の保持方法に関する。
【背景技術】
【０００２】
図５及び図６は、従来のアイブロウやアイライナー等の細径芯の、棒状化粧材の保持部を示した図である。図５に示される棒状化粧材保持部はカップ型形状をしており、このカップ内径に穿設された腔部に棒状化粧材を強制嵌合させることで、保持手段としている。図６には芯チャックの先端が複数の爪片により構成され、先筒の先端開口孔よりほぼ同寸法で貫通孔が穿設され、この貫通孔に沿って複数の摺動溝が設けられ、前記芯チャックはこの摺動溝に位置して先筒の先端開口孔より進入する棒状化粧材を保持する。
【０００３】
図５の棒状化粧材の保持方法は、カップ型形状の芯チャック外径と、先筒内径の間にＹの寸法差があるため、カップを前進限まで移動した状態で、熟練者が先筒の先端開口孔より棒状化粧材をカップ型形状内に強制嵌合しなければならない。
【０００４】
また、図６の爪片による棒状化粧材の保持方法は、爪片がどの位置にあっても、先筒の先端開口孔より穿設された貫通孔は同寸法であるため、棒状化粧材が先筒の先端開口孔より進入してくると、爪片の外周が摺動溝の当接面に当接して棒状化粧材を保持する。
【発明の開示】
【発明が解決しようとする課題】
【０００５】
図５のカップ型形状に、棒状化粧材を強制嵌合するにしても、図６の爪片に棒状化粧材を保持させるにしろ、棒状化粧材は先筒の先端開口孔より進入して棒状化粧材を押しつぶしたり削ったりして保持力を与えているものである。
【０００６】
本発明は前記棒状化粧材の保持部への嵌合を、棒状化粧材を押しつぶしたり、削ったりすることなく強い保持力で棒状化粧材を保持摺動することが可能となるばかりか、空容器と実容器（棒状化粧材が装填された状態の容器）を外観より簡単に判別可能とし、色や数量の管理をしやすい棒状化粧材繰出容器を提供することを目的とする。
【課題を解決するための手段】
【０００７】
そのため、本発明の棒状化粧材繰出容器は、先筒と基筒を連結し、回転操作で前記先筒の先端開口孔より棒状化粧材を進退する機能を有し、前記先筒の先端開口孔よりほぼ同寸法の貫通孔が穿設され、この貫通孔に沿って複数の摺動溝が設けられ、芯チャック部材の先端に形成された複数の爪片は、前記先筒の摺動溝内に位置して、棒状化粧材を保持摺動する棒状化粧材繰出容器であって；
前記先筒の先端開口孔より棒状化粧材が挿入された時点で、前記芯チャック部材の先端に形成された爪片は、前記棒状化粧材を保持せず前記爪片の前記先筒の摺動溝内に進入する手段をもって棒状化粧材を保持可能とする手段を講じたものである。
【０００８】
第２の発明においては前記芯チャック部材の爪片前端部は、前記先筒の摺動溝後端部に位置し、棒状化粧材の挿入後、前記爪片が先筒の摺動溝内に進入し、前記爪片の外片が摺動溝の当接面に当接することで、棒状化粧材を保持する、手段を講じたものである。
【発明の効果】
【０００９】
本発明の棒状化粧材繰出容器は、先筒と基筒を連結し、回転操作で前記先筒の先端開口孔より棒状化粧材を進退する機能を有し、前記先筒の先端開口孔よりほぼ同寸法の貫通孔が穿設され、この貫通孔に沿って複数の摺動溝が設けられ、芯チャック部材の先端に形成された複数の爪片は、前記先筒の摺動溝に位置して棒状化粧材を保持摺動する棒状化粧材繰出容器であり、前記先筒の先端開口孔より棒状化粧材が挿入された時点では、棒状化粧材は前記芯チャック部材の先端に形成される爪片間に保持される事なく位置し、この爪片が摺動溝内に進入する手段をもって棒状化粧材を削ることなく複数の爪片で包み込むように保持する。
【００１０】
又、爪片が摺動溝内に進入する前とあとで、繰出容器の外観が変わるようにすれば、実容器（棒状化粧材が装填された状態）と空容器（容器のみの状態）が判別でき、在庫や色別、数量等の管理に大きく貢献できる。
【００１１】
第２の発明では、前記爪片が摺動溝内に進入する手段として前記爪片先端部は前記先筒の摺動溝後端部に位置し、棒状化粧材の進入後、前記爪片が先筒の摺動溝内に進入し、前記爪片の外片が摺動溝の当接面に当接することで、爪片に側面からの保持力を与えている。
【発明を実施するための最良の形態】
【００１２】
本発明の実施の形態を、添付図面により以下において詳細に説明する。
図１は本発明の棒状化粧材繰出容器１の、棒状化粧材Ａが先筒１０の先端開口孔１１より挿入され、未だ保持されていない状態を示す縦一部断面図である。図２は各部材、それぞれ（Ａ）先筒１０（Ｂ）基筒２０、（Ｃ）芯チャック部材３０を示す図であり、図３は実容器（棒状化粧材Ａが爪片３２に保持された状態）の下降限を示す縦一部断面図であり、図４は実容器の上昇限を示す縦一部断面図である。
【００１３】
各部材より詳細に説明する。
図２より（Ａ）先筒１０は、軸方向に摘み部１０ａと基筒嵌入部１０ｂより構成され、基筒嵌入部１０ｂには先筒１０と基筒２０とを実容器として連結する第１係合突起１４ａと、空容器として連結する第２係合突起１４ｂが設けられ、棒状化粧材Ａが進退する先端開口孔１１を有し、又、この先端開口孔１１とほぼ同寸法で貫通孔１３が穿設され、この貫通孔１３に沿って４つの摺動溝１２が形成されている。
【００１４】
（Ｂ）基筒２０は、開口孔２１を備える有底の円筒外筒２０ａで、内径には軸方向に螺旋部２４がローレット状螺旋２５として配され、端部近くには前記先筒１０の係合突起１４ｂ及び係合突起１４ａと嵌合する第１嵌合凹部２３ａが設けられるとともに、係合突起１４ｂが実容器の時に嵌合する第２嵌合凹部２３ｂが第１嵌合凹部２３ａの奥に設けられている。
【００１５】
（Ｃ）芯チャック部材は先端に棒状化粧材Ａの保持部３１として爪片３２を４片備え、この爪片外片には突起３３が設けられる。また、爪片３２より延設される棒軸３４は凸条３７で形成され、後部には棒軸３４より大径な円筒部３５が構成され、この円筒部３５の外周より突起３６が突設される。
【００１６】
上記各部材より、図１の棒状化粧材繰出容器１を説明する。
基筒嵌入部１０ｂの第２係合突起１４ｂが基筒２０の第１嵌合凹部２３ａに回動可能に仮連結される。
【００１７】
芯チャック部材３０の先端に形成される爪片３２の前端部３２ａは先筒１０の摺動溝１２の摺動溝後端部１２ｂに位置し、爪片３２外片に設けられた突起３３は、先筒１０の内径腔部１５に位置する。
【００１８】
爪片３２より延設される凸条３７で形成される棒軸３４は、基筒２０内に延設され、円筒部３５は基筒２０の底面２２に載置される。又、円筒部３５外周に突設された突起３６は、基筒２０内の螺旋部２４に螺合して、繰出機構を構成する。  上記のように構成された空容器（棒状化粧材が未挿入の状態）は、先筒１０の摘み部１０ａと基筒２０の円筒外筒２０ａの端部との間にＸ寸法の隙間が存在する。そのため外観から見たとき、Ｘ寸法隙間のある棒状化粧材繰出容器は空容器であることがすぐに判別できる。
故に、生産準備や在庫の調整がしやすくなる。
【００１９】
この空容器に棒状化粧材Ａを装填した状態が図１である。棒状化粧材Ａはエアーや人間の手で、先筒１０の先端開口孔１１より挿入され、爪片３２間を通り底面３１ａに至る。この時点では棒状化粧材Ａに対して爪片３２からの側面方向からの保持は行われていない。  
【００２０】
次に、先筒１０を下方に押して、基筒２０の第１嵌合凹部２３ａと第２係合突起１４ｂの嵌合を、第１係合突起１４ａと第１嵌合凹部２３ａにする。第２係合突起１４ｂは下方に押され、第２嵌合凹部２３ｂに嵌合する。この、前記Ｘ寸法の隙間をなくす行為によって、摺動溝後端部１２ｂに位置する爪片３２ａは、摺動溝１２内に進入し、爪片３２の外片に設けた突起３３が前記摺動溝後端部１２ｂに進入したときに、前記突起３３が摺動溝当接面１２ａに当接することで棒状化粧材Ａを４方向より包み込むように保持する。
【００２１】
以上の手順により、棒状化粧材Ａの外観は削られたり強制嵌合したあとがなく、棒状化粧材Ａの折れや欠損の防止にも役立つ。
【００２２】
図３が実容器（棒状化粧材が爪片３２によって保持された状態）棒状化粧材Ａの繰出下降限ともなっている。この状態で先筒１０の摘み部１０ａと基筒２０の円筒外筒２０ａを回転操作すると、先筒１０と芯チャック部材３０は摺動溝１２に位置する爪片３２より延設される凸条が回転止め機構となり、前記円筒部３５外周の突起３６が基筒２０内の螺旋部２４に螺合した繰出機構によって、棒状化粧材Ａは先筒１０の先端開口孔１１より進退し、化粧を可能とする。
【００２３】
爪片３２の外片に設けた突起３３は常時摺動溝当接面１２ａに当接して、強い保持力で棒状化粧材を保持する。
【００２４】
図４は繰出の上昇限を示す図であり、円筒部３５の上端面３５ａが先筒１０の端部１７に当接して上昇限が決定される。
【００２５】
なお実施例においては、爪片３２の外片に突起３３を設けてこれを摺動溝当接面１２ａに当接する手段を用いたが、前記突起３３に限らず、爪片３２をテーパー状にしたり、爪片３２外片に凸条を設ける等して爪片３２の外片を摺動溝当接面１２ａに当接することで、棒状化粧材Ａを保持する方法であれば本発明の範疇に属する。
【図面の簡単な説明】
【００２６】
【図１】本発明の棒状化粧材繰出容器の、棒状化粧材がまだ保持されていない状態を示す縦一部断面図である。
【図２】図１に示されている棒状化粧材繰出容器の各部材の縦一部断面図である。（Ａ）は先筒を、（Ｂ）は基筒を、（Ｃ）は芯チャック部材をそれぞれ示している。
【図３】図１に示されている棒状化粧材繰出容器の、棒状化粧材が保持され、芯チャック部材が下降限にある状態を示す縦一部断面図である。
【図４】図３に示されている棒状化粧材繰出容器が上昇限にある状態を示す縦一部断面図である。
【図５】従来例である。
【図６】従来例である。
【符号の説明】
【００２７】
１・・・・棒状化粧材繰出容器
Ａ・・・・棒状化粧材
１０・・・先筒
１０ａ・・摘み部
１０ｂ・・基筒嵌入部
１１・・・先端開口孔
１２・・・摺動溝
１２ａ・・摺動溝当接面
１２ｂ・・摺動溝後端部
１３・・・貫通孔
１４ａ・・第１係合突起
１４ｂ・・第２係合突起
１５・・・内径腔部
１７・・・端部
２０・・・基筒
２０ａ・・円筒外筒
２１・・・開口孔
２２・・・底面
２３ａ・・第１嵌合凹部
２３ｂ・・第２嵌合凹部
２４・・・螺旋部
２５・・・ローレット状螺旋
３０・・・芯チャック部材
３１・・・保持部
３１ａ・・底面
３２・・・爪片
３３・・・突起
３４・・・棒軸
３５・・・円筒部
３５ａ・・上端面
３６・・・突起
３７・・・凸条
【図１】
2006055233.tif 000003
【図２】
2006055233.tif 000004
【図３】
2006055233.tif 000005
【図４】
2006055233.tif 000006
【図５】
2006055233.tif 000007
【図６】
2006055233.tif 000008